(57)【要約】【課題】同じデータを繰り返し連続して記録を行う場合、同じセグメントを使用すると規格に基づいたデータの記録を行うことができず、通常の情報再生装置では再生できないという課題があった。【解決手段】本発明の情報記録装置は、データ作成情報を格納するデータ作成情報格納手段と、データ作成情報格納手段に格納されたデータ作成情報に基づいて記録データを作成するデータ作成手段と、データ作成手段で作成された記録データを格納するデータ作成格納手段と、データ作成格納手段に格納された記録データを情報記録媒体に記録する記録手段とを備える。【選択図】図１４
2007220157.tif 000002
【特許請求の範囲】
【請求項１】
情報記録媒体にデータを書き込む情報記録装置であって、
データ作成情報を格納するデータ作成情報格納手段と、
前記データ作成情報格納手段に格納されたデータ作成情報に基づいて記録データを作成するデータ作成手段と、
前記データ作成手段で作成された記録データを格納するデータ作成格納手段と、
前記データ作成格納手段に格納された記録データを情報記録媒体に記録する記録手段と、
を備えることを特徴とする情報記録装置。
【請求項２】
前記情報記録装置はさらに、
データを一時的に保持するデータ格納手段と、
スクランブルを行うスクランブル手段とを備え、
前記データ格納手段に格納されるデータは、繰り返し記録を行う繰り返しデータを含み、
前記データ作成情報格納手段に格納されるデータ作成情報は、繰り返し記録を行うことを表す繰り返し情報と、繰り返し回数を表す繰り返し回数情報と、前記データ格納手段に格納された繰り返しデータの位置を表す繰り返しデータ位置情報を含み、
前記データ作成手段は、前記繰り返し回数情報の回数分、前記繰り返し情報が設定されている場合、前記繰り返しデータ位置情報の位置に格納されている前記繰り返しデータを前記データ作成格納手段にコピーし、
前記スクランブル手段は、前記データ作成手段が前記データ作成格納手段にコピーしたデータを、情報記録媒体に記録する位置に応じてスクランブルする
ことを特徴とする請求項１に記載の情報記録装置。
【請求項３】
前記情報記録媒体に書き込むデータは、情報記録媒体に記録する位置を表す記録位置情報を含み、
前記情報記録装置はさらに、
データを一時的に保持するデータ格納手段を備え、
前記データ格納手段に格納されるデータは、繰り返し記録を行う繰り返しデータを含み、
前記データ作成情報格納手段に格納されるデータ作成情報は、繰り返し記録を行うことを表す繰り返し情報と、
繰り返し回数を表す繰り返し回数情報と、
前記データ格納手段に格納された繰り返しデータの位置を表す繰り返しデータ位置情報を含み、
前記データ作成手段は、前記繰り返し回数情報の回数分、前記繰り返し情報が設定されている場合、前記繰り返しデータ位置情報の位置に格納されている繰り返しデータを前記データ作成格納手段にコピーし、コピーしたデータの記録位置情報を、情報記録媒体に記録する位置に応じて変更する
ことを特徴とする請求項１に記載の情報記録装置。
【請求項４】
前記データ作成情報格納手段に格納されるデータ作成情報は、ゼロデータを繰り返し記録することを表すゼロ記録情報と、
繰り返し回数を表す繰り返し回数情報を含み、
前記データ作成手段は、前記繰り返し回数情報の回数分、前記ゼロ記録情報が設定されている場合、前記データ作成格納手段にゼロデータを作成する
ことを特徴とする請求項１に記載の情報記録装置。
【請求項５】
前記情報記録媒体に書き込むデータは、情報記録媒体に記録する位置を表す記録位置情報を含み、
前記データ作成手段はさらに、
作成したゼロデータの記録位置情報を、情報記録媒体に記録する位置に応じて変更する
ことを特徴とする請求項４に記載の情報記録装置。
【請求項６】
前記情報記録装置はさらに、
データを一時的に保持するデータ格納手段を備え、
前記データ格納手段に格納されるデータは、繰り返し記録を行う繰り返しデータを含み、
前記データ作成情報格納手段に格納されるデータ作成情報は、特定領域のデータをインクリメントして記録することを表すインクリメント情報と、
繰り返し回数を表す繰り返し回数情報と、
前記データ格納手段に格納された繰り返しデータの位置を表す繰り返しデータ位置情報を含み、
前記データ作成手段は、前記繰り返し回数情報の回数分、前記インクリメント情報が設定されている場合、前記繰り返しデータ位置情報の位置に格納されている前記繰り返しデータを前記データ作成格納手段にコピーし、コピーしたデータの特定領域を、インクリメントした所定のデータに変更する
ことを特徴とする請求項１に記載の情報記録装置。
【請求項７】
前記情報記録媒体に書き込むデータは、情報記録媒体に記録する位置を表す記録位置情報を含み、
前記データ作成手段はさらに、
コピーした繰り返しデータの記録位置情報を、情報記録媒体に記録する位置に応じて変更する
ことを特徴とする請求項６に記載の情報記録装置。
【請求項８】
データ作成情報に基づいて情報記録媒体にデータを書き込む記録方法であって、
データ作成情報に基づいて記録データを作成するデータ作成ステップと、
前記データ作成ステップで作成された記録データを情報記録媒体に記録する記録ステップと、
を包含することを特徴とする記録方法。
【請求項９】
前記記録方法はさらに、
スクランブルを行うスクランブルステップを包含し、
前記データ作成情報は、繰り返し記録を行うことを表す繰り返し情報と、
繰り返し回数を表す繰り返し回数情報と、
繰り返し記録を行う繰り返しデータが格納されている位置を表す繰り返しデータ位置情報を含み、
前記データ作成ステップは、前記繰り返し回数情報の回数分、前記繰り返し情報が設定されている場合、前記繰り返しデータ位置情報の位置に格納されている繰り返しデータをコピーし、
前記スクランブルステップは、前記データ作成ステップがコピーしたデータを、情報記録媒体の記録する位置に応じてスクランブルする
ことを特徴とする請求項８に記載の記録方法。
【請求項１０】
前記情報記録媒体に書き込むデータは、情報記録媒体に記録する位置を表す記録位置情報を含み、
前記データ作成情報は、繰り返し記録を行うことを表す繰り返し情報と、
繰り返し回数を表す繰り返し回数情報と、
繰り返し記録を行う繰り返しデータが格納されている位置を表す繰り返しデータ位置情報を含み、
前記データ作成ステップは、前記繰り返し回数情報の回数分、前記繰り返し情報が設定されている場合、前記繰り返しデータ位置情報に格納されている繰り返しデータをコピーし、コピーしたデータの記録位置情報を、情報記録媒体に記録する位置に応じて変更する
ことを特徴とする請求項８に記載の記録方法。
【請求項１１】
前記データ作成情報は、ゼロデータを繰り返し記録することを表すゼロ記録情報と、
繰り返し回数を表す繰り返し回数情報を含み、
前記データ作成ステップは、前記繰り返し回数情報の回数分、前記ゼロ記録情報が設定されている場合、ゼロデータを作成する
ことを特徴とする請求項８に記載の記録方法。
【請求項１２】
前記情報記録媒体に書き込むデータは、情報記録媒体に記録する位置を表す記録位置情報を含み、
前記データ作成ステップはさらに、作成したゼロデータの記録位置情報を、情報記録媒体に記録する位置に応じて変更する
ことを特徴とする請求項１１に記載の記録方法。
【請求項１３】
前記データ作成情報は、特定領域のデータをインクリメントして記録することを表すインクリメント情報と、
繰り返し回数を表す繰り返し回数情報と、
繰り返し記録を行う繰り返しデータが格納されている位置を表す繰り返しデータ位置情報を含み、
前記データ作成ステップは、前記繰り返し回数情報の回数分、前記インクリメント情報が設定されている場合、前記繰り返しデータ位置情報の位置に格納されている繰り返しデータをコピーし、コピーしたデータの特定領域のデータを、インクリメントした所定のデータに変更する
ことを特徴とする請求項８に記載の記録方法。
【請求項１４】
前記情報記録媒体に書き込むデータは、情報記録媒体に記録する位置を表す記録位置情報を含み、
前記データ作成ステップはさらに、
コピーした繰り返しデータの記録位置情報を、情報記録媒体に記録する位置に応じて変更する
ことを特徴とする請求項１３に記載の記録方法。
【請求項１５】
データ作成情報を格納するデータ作成情報格納手段と、
前記データ作成情報格納手段に格納されたデータ作成情報に基づいて情報記録媒体に書き込むための記録データを作成するデータ作成手段と、
前記データ作成手段で作成された記録データを格納するデータ作成格納手段と、
を備えることを特徴とする半導体。
【発明の詳細な説明】
【技術分野】
【０００１】
本発明は、光ディスク等の情報記録媒体に同じデータを記録する場合、バッファメモリをセグメントに分割し、各セグメントに対しセグメントの接続情報と繰り返し回数情報を設定し、繰り返し情報に設定された回数、指定されたセグメントのデータを記録することにより、バッファメモリの有効活用を図った情報記録装置および記録方法および半導体に関する。
【背景技術】
【０００２】
情報記録媒体として光ディスクの普及が目覚ましい。情報記録分野においては、ＢＤ、ＤＶＤ、ＣＤなど記録特性、容量などにより様々な種類の光ディスクが存在している。以下では書き換え可能なＤＶＤ−ＲＷを例に説明する（非特許文献１参照）。
【０００３】
図１に、ＤＶＤ−ＲＷのデータ構造を示す。ＤＶＤ−ＲＷは、Ｒ−インフォメーション領域１０１と、インフォメーション領域１０２で構成される。
【０００４】
Ｒ−インフォメーション領域１０１は、ＰＣＡ（Ｐｏｗｅｒ  Ｃａｌｉｂｒａｔｉｏｎ  Ａｒｅａ）１０３と記録管理領域（ＲＭＡ：Ｒｅｃｏｒｄｉｎｇ  Ｍａｎａｇｅｍｅｎｔ  Ａｒｅａ）１０４で構成される。ＰＣＡ１０３は、ＯＰＣ（Ｏｐｔｉｍｕｍ  Ｐｏｗｅｒ  Ｃｏｎｔｒｏｌ）すなわちレーザーのパワーキャリブレーションを行うための領域である。ＲＭＡ１０４は、データ領域１０６の記録状態を管理するための領域である。
【０００５】
インフォメーション領域１０２は、リードイン領域１０５、データ領域１０６、リードアウト領域１０７で構成される。リードイン領域１０５とリードアウト領域１０７は、データ領域１０６にアクセスするのに必要なパラメータが記録される制御情報領域である。データ領域１０６には、ユーザデータが記録される。
【０００６】
データ領域１０６には、ホストコンピュータから転送されたデータが記録される。ホストコンピュータからのデータ転送速度は、情報記録媒体への記録速度よりも高速となるため、記録処理の高速化を図るために、情報記録装置は、情報記録装置内に一時的にデータを格納するバッファメモリを設け、バッファメモリに格納されたデータを情報記録媒体へ記録している。
【０００７】
情報記録装置は、データ領域１０６だけでなく、Ｒ−インフォメーション領域１０１や、リードイン領域１０５、リードアウト領域１０６にも記録を行う。そのときにも、記録するデータをバッファメモリに格納して記録を行う。
【０００８】
ここで、リードイン領域１０５とＲＭＡ１０４に記録することを考える。
【０００９】
図２にリードイン領域１０５のデータ構造を示す。リードイン領域１０５は、イニシャル領域２０１、バッファ０領域２０２、ＲＷ−物理フォーマット情報領域２０３、リファレンスコード領域２０４、バッファ１領域２０５、制御データ領域２０６、エクストラボーダー領域２０７で構成される。イニシャル領域２０１、バッファ０領域２０２、バッファ１領域２０５は、それぞれ２８５４ＥＣＣブロック、３２ＥＣＣブロック、３０ＥＣＣブロックの大きさを持ち、全て０のデータのＥＣＣブロックが繰り返し記録される。ここで、ＥＣＣブロックとは、記録動作を行う単位で、１６セクタで構成されており、誤り訂正符号化されるデータ単位のことである。ＲＷ−物理フォーマット情報領域２０３は、１９２ＥＣＣブロックで構成され、１ＥＣＣブロックは図３で示すデータ構造をしており、１９２ＥＣＣブロック全て同じデータが記録される。リファレンスコード領域２０４は、２ＥＣＣブロックで構成され、チャネルビットパターンが記録される。制御データ領域２０６は、１９２ＥＣＣブロックで構成される。制御データ領域２０６には、制御情報とサーボ情報がエンボスデータとして記録されている。エクストラボーダー領域２０７は、図４に示すように３２ＥＣＣブロックで構成され、１から５ＥＣＣブロック目には、最新のＲＭＤ（Ｒｅｃｏｒｄｉｎｇ  Ｍａｎａｇｅｍｅｎｔ  Ｄａｔａ）が５回、６から２５ＥＣＣブロック目には、全て０のデータが２０回、２６から３０ＥＣＣブロック目には、物理フォーマット情報ブロックが５回、繰り返して記録される。
【００１０】
図５にＲｅｓｔｒｉｃｔｅｄ  Ｏｖｅｒｗｒｉｔｅモード時のＲＭＡ１０４のデータ構造を示す。ＲＭＡ１０４は５つのＲＭＡセグメントから構成される。ＲＭＡセグメントは、２８個のＲＭＤセットで構成され、ＲＭＤセットは、５つのＲＭＤブロックで構成される。１ＲＭＤブロックは、１ＥＣＣブロック分のデータで、リンキングロスエリアと１５個のフィールドで構成される。ＲＭＤセットの５つのＲＭＤブロックは、ＲＢＧインフォメーション以外同じデータが記録される。図６にＲＢＧインフォメーションの構造を示す。ＲＢＧインフォメーションは、フィールド０の先頭から１２９バイト目の１バイトのデータで、ＲＢＧナンバーとＲＢＧレングスで構成される。ＲＭＤセットの５つのＲＭＤブロックには、ＲＢＧレングスが１から５まで変化した値が記録される。
【００１１】
以上説明したように、リードイン領域１０５やＲＭＡ１０４を記録するには、同じデータ、もしくは一部変更したデータを繰り返し記録しなければならない。リードイン領域１０５やＲＭＡ１０４を記録するときにも、バッファメモリを用いるため、同じデータを繰り返し連続して記録を行おうとすると、同じデータを幾つもバッファメモリに格納して記録を行わなければならない。しかし、これではバッファメモリの空き容量が少なくなり、キャッシュ効果が低減されるという問題点がある。
【００１２】
そこで、バッファメモリを有効に利用し、同じデータを記録する情報記録装置として、バッファメモリをセグメントに分割し、各セグメントに対しセグメントの接続情報と繰り返し回数情報を設定し、繰り返し情報に設定された回数、指定されたセグメントのデータを記録するという情報記録装置が開示されている（特許文献１参照）。
【非特許文献１】“８０ｍｍ（１，４６ＧＢｙｔｅｓ  ｐｅｒ  ｓｉｄｅ）ａｎｄ  １２０ｍｍ（４，７０  ＧＢｙｔｅｓ  ｐｅｒ  ｓｉｄｅ）ＤＶＤ  Ｒｅ−ｒｅｃｏｒｄａｂｌｅ  Ｄｉｓｋ（ＤＶＤ−ＲＷ）”，Ｓｔａｎｄａｒｄ  ＥＣＭＡ３３８、Ｄｅｃｅｍｂｅｒ  ２００２
【特許文献１】特開２００１−２０９５７７号公報
【発明の開示】
【発明が解決しようとする課題】
【００１３】
しかし上記文献には同じセグメントに格納されているデータを繰り返し回数情報に基づいて記録する方法については開示されていない。また、これに伴う問題点も指摘されていない。
【００１４】
実際に情報記録媒体に記録を行うには、図７に示すようにバッファメモリに格納されたデータに対し、誤り検出符号の付加、スクランブル、誤り訂正符号化処理が施される。スクランブルは、記録を行うセクタの物理セクタ番号をシードとして行われる。物理セクタ番号は、図１に示すように内周から外周に向かい、単調増加しており、記録を行うセクタに対し、一意に決まっている。そのため、同じデータを連続して記録しようとした場合、スクランブルのシードが異なるため、スクランブルしなおす必要がある。同じデータを繰り返し記録するからといってスクランブルしなおさないまま記録すると、規格に基づいたデータの記録を行うことができず、通常の情報再生装置では再生できないという問題点がある。
【００１５】
また、図８に示すようにＥＣＣブロックの１セクタは、メインデータとＩＤとＩＥＤとＣＰＲ＿ＭＡＩとＥＤＣで構成される。メインデータには、ユーザデータが記録され、ＩＤには、物理セクタ番号が記録される。ＩＥＤは、ＩＤの誤り検出符号である。ＣＰＲ＿ＭＡＩには、コピープロテクトマネージメント情報が記録される。同じデータを連続して記録しようとした場合、ＩＤを記録を行うセクタの物理セクタ番号に変更し、それに伴いＩＥＤを変更しなおさなければ、規格に基づいたデータを記録することが出来ないという問題点がここにもある。
【００１６】
図９に、同じセグメントを用いて情報記録媒体へ記録を行うときのタイミングチャートを示す。図９において、ブロック内の数字は繰り返し回数をあらわす。図９に示すように、同じセグメントを用いて記録を行う場合、１ＥＣＣブロックずつ、図７の処理と記録を行わなければならず、切れ目無く連続して記録を行うことができない。結果、情報記録媒体へ記録するのに時間がかかるという問題点がある。
【００１７】
また、繰り返し回数情報が用意されているだけでは、ＲＭＤセットのように一部だけ異なるデータを同じセグメントのデータを用いて記録することはできないという問題点がある。
【００１８】
また、セグメント接続情報が変わらなくても、記録を行うたびに繰り返し回数情報を設定しなおさなければならないため、記録を行うたびにセグメント情報を設定しなおさなければならないという問題点がある。
【００１９】
また、全てが０のデータを記録する場合にも、バッファメモリを使用しなければならないという問題点がある。
【００２０】
本発明は、上記の問題点を鑑み、バッファメモリを最大限有効に利用し、情報再生装置で再生できる、規格に基づいたデータの記録を行うことができる記録方法および情報記録装置を提供することを目的とする。
【課題を解決するための手段】
【００２１】
上記の課題を解決するために、本発明の情報記録装置は、データ作成情報を格納するデータ作成情報格納手段と、前記データ作成情報格納手段に格納されたデータ作成情報に基づいて記録データを作成するデータ作成手段と、前記データ作成手段で作成された記録データを格納するデータ作成格納手段と、前記データ作成格納手段に格納された記録データを情報記録媒体に記録する記録手段とを備える。
【００２２】
前記情報記録装置はさらに、データを一時的に保持するデータ格納手段と、スクランブルを行うスクランブル手段とを備え、前記データ格納手段に格納されるデータは、繰り返し記録を行う繰り返しデータを含み、前記データ作成情報格納手段に格納されるデータ作成情報は、繰り返し記録を行うことを表す繰り返し情報と、繰り返し回数を表す繰り返し回数情報と、前記データ格納手段に格納された繰り返しデータの位置を表す繰り返しデータ位置情報を含み、前記データ作成手段は、前記繰り返し回数情報の回数分、前記繰り返し情報が設定されている場合、前記繰り返しデータ位置情報の位置に格納されている前記繰り返しデータを前記データ作成格納手段にコピーし、前記スクランブル手段は、前記データ作成手段が前記データ作成格納手段にコピーしたデータを、情報記録媒体に記録する位置に応じてスクランブルしてもよい。
【００２３】
前記情報記録媒体に書き込むデータは、情報記録媒体に記録する位置を表す記録位置情報を含み、前記情報記録装置はさらに、データを一時的に保持するデータ格納手段を備え、前記データ格納手段に格納されるデータは、繰り返し記録を行う繰り返しデータを含み、前記データ作成情報格納手段に格納されるデータ作成情報は、繰り返し記録を行うことを表す繰り返し情報と、繰り返し回数を表す繰り返し回数情報と、前記データ格納手段に格納された繰り返しデータの位置を表す繰り返しデータ位置情報を含み、前記データ作成手段は、前記繰り返し回数情報の回数分、前記繰り返し情報が設定されている場合、前記繰り返しデータ位置情報の位置に格納されている繰り返しデータを前記データ作成格納手段にコピーし、コピーしたデータの記録位置情報を、情報記録媒体に記録する位置に応じて変更してもよい。
【００２４】
前記データ作成情報格納手段に格納されるデータ作成情報は、ゼロデータを繰り返し記録することを表すゼロ記録情報と、繰り返し回数を表す繰り返し回数情報を含み、前記データ作成手段は、前記繰り返し回数情報の回数分、前記ゼロ記録情報が設定されている場合、前記データ作成格納手段にゼロデータを作成してもよい。
【００２５】
前記情報記録媒体に書き込むデータは、情報記録媒体に記録する位置を表す記録位置情報を含み、前記データ作成手段はさらに、作成したゼロデータの記録位置情報を、情報記録媒体に記録する位置に応じて変更してもよい。
【００２６】
前記情報記録装置はさらに、データを一時的に保持するデータ格納手段を備え、前記データ格納手段に格納されるデータは、繰り返し記録を行う繰り返しデータを含み、前記データ作成情報格納手段に格納されるデータ作成情報は、特定領域のデータをインクリメントして記録することを表すインクリメント情報と、繰り返し回数を表す繰り返し回数情報と、前記データ格納手段に格納された繰り返しデータの位置を表す繰り返しデータ位置情報を含み、前記データ作成手段は、前記繰り返し回数情報の回数分、前記インクリメント情報が設定されている場合、前記繰り返しデータ位置情報の位置に格納されている前記繰り返しデータを前記データ作成格納手段にコピーし、コピーしたデータの特定領域を、インクリメントした所定のデータに変更してもよい。
【００２７】
前記情報記録媒体に書き込むデータは、情報記録媒体に記録する位置を表す記録位置情報を含み、前記データ作成手段はさらに、コピーした繰り返しデータの記録位置情報を、情報記録媒体に記録する位置に応じて変更してもよい。
【００２８】
上記の課題を解決するために、本発明の記録方法は、データ作成情報に基づいて記録データを作成するデータ作成ステップと、前記データ作成ステップで作成された記録データを情報記録媒体に記録する記録ステップとを包含する。
【００２９】
前記記録方法はさらに、スクランブルを行うスクランブルステップを包含し、前記データ作成情報は、繰り返し記録を行うことを表す繰り返し情報と、繰り返し回数を表す繰り返し回数情報と、繰り返し記録を行う繰り返しデータが格納されている位置を表す繰り返しデータ位置情報を含み、前記データ作成ステップは、前記繰り返し回数情報の回数分、前記繰り返し情報が設定されている場合、前記繰り返しデータ位置情報の位置に格納されている繰り返しデータをコピーし、前記スクランブルステップは、前記データ作成ステップがコピーしたデータを、情報記録媒体に記録する位置に応じてスクランブルしてもよい。
【００３０】
前記情報記録媒体に書き込むデータは、情報記録媒体に記録する位置を表す記録位置情報を含み、前記データ作成情報は、繰り返し記録を行うことを表す繰り返し情報と、繰り返し回数を表す繰り返し回数情報と、繰り返し記録を行う繰り返しデータが格納されている位置を表す繰り返しデータ位置情報を含み、前記データ作成ステップは、前記繰り返し回数情報の回数分、前記繰り返し情報が設定されている場合、前記繰り返しデータ位置情報に格納されている繰り返しデータをコピーし、コピーしたデータの記録位置情報を、情報記録媒体に記録する位置に応じて変更してもよい。
【００３１】
前記データ作成情報は、ゼロデータを繰り返し記録することを表すゼロ記録情報と、繰り返し回数を表す繰り返し回数情報を含み、前記データ作成ステップは、前記繰り返し回数情報の回数分、前記ゼロ記録情報が設定されている場合、ゼロデータを作成してもよい。
【００３２】
前記情報記録媒体に書き込むデータは、情報記録媒体に記録する位置を表す記録位置情報を含み、前記データ作成ステップはさらに、作成したゼロデータの記録位置情報を、情報記録媒体に記録する位置に応じて変更してもよい。
【００３３】
前記データ作成情報は、特定領域のデータをインクリメントして記録することを表すインクリメント情報と、繰り返し回数を表す繰り返し回数情報と、繰り返し記録を行う繰り返しデータが格納されている位置を表す繰り返しデータ位置情報を含み、前記データ作成ステップは、前記繰り返し回数情報の回数分、前記インクリメント情報が設定されている場合、前記繰り返しデータ位置情報の位置に格納されている繰り返しデータをコピーし、コピーしたデータの特定領域のデータを、インクリメントした所定のデータに変更してもよい。
【００３４】
前記情報記録媒体に書き込むデータは、情報記録媒体に記録する位置を表す記録位置情報を含み、前記データ作成ステップはさらに、コピーした繰り返しデータの記録位置情報を、情報記録媒体に記録する位置に応じて変更してもよい。
【００３５】
上記の課題を解決するために、本発明の半導体は、データ作成情報を格納するデータ作成情報格納手段と、前記データ作成情報格納手段に格納されたデータ作成情報に基づいて情報記録媒体に書き込むための記録データを作成するデータ作成手段と、前記データ作成手段で作成された記録データを格納するデータ作成格納手段とを備える。
【発明の効果】
【００３６】
本発明の情報記録装置および記録方法によれば、スクランブル処理、パリティデータの生成および付加、といった記録信号処理をセグメント分割データごとに実行することによって、バッファメモリを最大限有効に利用し、情報再生装置で再生でき、規格に基づいたデータを連続して記録することができる。
【００３７】
また、本発明の情報記録装置および記録方法によれば、記録管理領域のＲＭＤセットを連続して記録することができる。
【００３８】
また、本発明の情報記録装置および記録方法によれば、情報記録媒体へ記録を行っている間にスクランブル、誤り訂正符号化処理等が施されたデータ作成することにより、連続して記録が行え、記録処理の時間を短縮できる。
【発明を実施するための最良の形態】
【００３９】
以下、本発明の実施の形態について図面を参照しながら説明する。
【００４０】
（実施の形態１）
図１０に、本発明の実施の形態１における情報記録装置１０００の構成の一例を示す。図１０において、１００１は情報記録媒体、１００２は光ピックアップ、１００３は記録回路、１００４は誤り訂正符号化回路、１００５はスクランブル回路、１００６は誤り検出符号化回路、１００７は記録コントローラ、１００８はバッファメモリ、１００９はデータ作成情報格納メモリ、１０１０はデータ作成メモリ、１０１１は内部バスである。記録回路１００３、誤り訂正符号化回路１００４、スクランブル回路１００５、誤り検出符号化回路１００６、記録コントローラ１００７、バッファメモリ１００８、データ作成情報格納メモリ１００９、データ作成メモリ１０１０、内部バス１０１１である。以上は、ＬＳＩデバイス１１００の内部回路として構成される。
【００４１】
図１１に、バッファメモリ１００８の構成を示す。バッファメモリ１００８は、複数のセグメントに分割され、ホストコンピュータから転送されたデータや、記録管理情報などといった、情報記録媒体１００１に記録されるデータが予め格納される。
【００４２】
図１２に、データ作成情報格納メモリ１００９の構成を示す。データ作成情報格納メモリ１００９には、複数のデータ作成情報が格納される。データ作成情報は、繰り返しフラグとセグメント番号とブロック数で構成される。繰り返しフラグは、同じデータの繰り返し記録を行うかどうかを判定するためのフラグで、繰り返し記録を行う場合に１にセットされる。セグメント番号には、繰り返し記録を行う場合には、繰り返し記録を行うデータが格納されているバッファメモリ１００８のセグメント番号が格納され、繰り返し記録を行わない場合には、記録するバッファメモリ１００８のセグメント番号が格納される。ブロック数には、処理を行うＥＣＣブロック数が格納される。
【００４３】
図１３に、データ作成メモリ１０１０の構成を示す。データ作成メモリ１０１０は、複数のセグメントに分割され、データ作成情報に従って記録するデータを作成するときに用いるメモリである。
【００４４】
図１４に、情報記録装置１０００が情報記録媒体１００１へ記録する方法のフローチャートを示す。ここで、図７と同一の処理については、同一番号を付している。図１４の記録方法について、図１０を参照して説明する。
【００４５】
ステップＳ１４０１で、記録コントローラ１００７は、データ作成情報格納メモリ１００９に格納されているデータ作成情報にしたがって、情報記録媒体１００１に記録するデータを作成し、記録処理を行う記録セグメントを設定する。詳細については、後述する。
【００４６】
ステップＳ７０１で、誤り検出符号化回路１００６はステップＳ１４０１で設定された記録セグメントのデータに対し誤り検出符号を付加する。
【００４７】
ステップＳ７０２で、スクランブル回路１００５は記録セグメントのデータに対し記録を行う物理セクタ番号をシードとして、スクランブルを行う。
【００４８】
ステップＳ７０３で、誤り訂正符号化回路１００４記録セグメントのデータに対しパリティを付加して誤り訂正符号化を行う。
【００４９】
ステップＳ７０４で、記録回路１００３は、記録セグメントのデータに対し変調を行い、光ピックアップ１００２から情報記録媒体１００１へ光ビームを照射し、指定された物理セクタ番号の位置にデータを記録する。
【００５０】
以上の処理により、データ作成情報にしたがって、情報記録媒体１００１へデータが記録される。
【００５１】
図１５に、図１４のステップＳ１４０１のデータ作成処理のフローチャートを示す。以下、図１５のデータ作成処理について、図１０を参照して説明する。
【００５２】
ステップＳ１５０１で、記録コントローラ１００７は、データ作成情報を取得する。データ作成処理が開始された場合には、記録コントローラ１００７は、データ作成情報格納メモリ１００９の先頭に格納されているデータ作成情報を読み出す。データ作成情報のブロック数だけ処理を行ったら、データ作成情報格納メモリ１００９から次のデータ作成情報を読み出す。データ作成情報のブロック数に処理が満たない場合は、保持しているデータ作成情報を取得する。
【００５３】
ステップＳ１５０２で、記録コントローラ１００７は、データ作成情報の繰り返しフラグが設定されているかどうか判定する。設定されていると判定した場合、ステップＳ１５０３へ進む。設定されていないと判定した場合、ステップＳ１５０６へ進む。
【００５４】
ステップＳ１５０３で、記録コントローラ１００７は、データ作成情報のセグメント番号で指定されているバッファメモリ１００８のセグメントのデータを、データ作成メモリ１０１０にコピーする。
【００５５】
ステップＳ１５０４で、コピーしたデータ作成メモリ１０１０のデータのＩＤを、記録を行う物理セクタ番号に変更し、ＩＥＤを付加する。
【００５６】
ステップＳ１５０５で、コピーしたデータ作成メモリ１０１０のセグメントを、記録セグメントに設定する。
【００５７】
ステップＳ１５０６で、データ作成情報のセグメント番号で指定されているバッファメモリ１００８のセグメントを、記録セグメントに設定する。
【００５８】
ステップＳ１５０７で、データ作成情報のセグメント番号を、現在指定されているバッファメモリ１００８の次のセグメントになるように変更する。
【００５９】
以上の処理により、データ作成メモリにバッファメモリからデータをコピーして、ＩＤ、ＩＥＤを記録するセクタの物理セクタ番号に変更し、そのセグメントを記録セグメントに設定することにより、規格に基づいた同じデータを繰り返し連続して記録することができる。また、同じデータの繰り返し記録を行わないときには、記録セグメントをバッファメモリのセグメントに設定することにより、通常の記録と同じ処理となり、同じデータの繰り返しと通常の記録が混在していても、連続して記録を行うことができる。
【００６０】
次に、データ作成情報にしたがって記録を行う具体例を説明する。
【００６１】
一例として、バッファメモリ１００８とデータ作成メモリ１０１０が、図１６、図１７に示すように、それぞれ５つと２つのセグメントで構成され、データ作成情報が図１８に示すように設定されているものとする。ここで、バッファメモリ１００８とデータ作成メモリ１０１０のセグメントには、１ＥＣＣブロック分のデータが格納でき、リング状に構成しようとするものとする。また、データ作成処理、誤り検出符号の付加、スクランブル、誤り訂正符号化処理は、１ＣＣブロック分のデータを記録回路１００３が情報記録媒体１００１に記録している間に実行できるものとする。
【００６２】
図１９に、図１８のデータ作成情報にしたがって５ＥＣＣブロック記録を行うときのタイミングチャートを示す。図１９のブロック内の数字は、処理を行うセグメント番号を示す。また、物理セクタ番号０から記録を行うように、情報記録装置１０００に記録要求されたものとする。
【００６３】
情報記録装置１０００に記録要求されると、記録コントローラ１００７は、データ作成情報格納メモリ１００９から、データ作成情報１８０１を読み出す。データ作成情報１８０１には、繰り返しフラグが設定されているので、記録コントローラ１００７は、データ作成情報１８０１に設定されているバッファメモリ１００８のセグメント１６０１のデータを、データ作成メモリ１０１０のセグメント１７０１にコピーする。さらに、記録コントローラ１００７は、セグメント１７０１の各セクタに対し、ＩＤに０から１５を書き込み、ＩＥＤを計算してＩＥＤを書き込む。そして、記録コントローラ１００７は、記録セグメントとして、セグメント１７０１を設定する。
【００６４】
データ作成処理が終了したら、誤り検出符号化回路１００６は、記録セグメントであるセグメント１７０１のデータに誤り検出符号を付加する。
【００６５】
誤り検出符号の付加が終了したら、スクランブル回路１００５は、スクランブルのシードを０として、記録セグメントであるセグメント１７０１のデータをスクランブルする。
【００６６】
スクランブルが終了したら、誤り訂正符号化回路１００４は、記録セグメントであるセグメント１７０１のデータにパリティを付加し、誤り訂正符号化する。
【００６７】
誤り訂正符号化が終了したら、記録回路１００３は、記録セグメントであるセグメント１７０１のデータを情報記録媒体１００１に記録する。
【００６８】
データ変更処理、誤り検出符号の付加、スクランブル、誤り訂正符号化処理、記録処理は、並列処理が可能であるため、セグメント１７０１へのデータ作成処理が終了したら、記録コントローラ１００７は、次のデータ作成処理を開始する。
【００６９】
記録コントローラ１００７は、データ作成情報１８０１のブロック数を参照して、指定されたブロック数処理を行っていないと判定し、繰り返しフラグが設定されているため、バッファメモリ１００８のセグメント１６０１のデータを、データ作成メモリ１０１０のセグメント１７０２にコピーする。さらに、記録コントローラ１００７は、セグメント１７０２の各セクタに対し、ＩＤに１６から３１を書き込み、ＩＥＤを計算してＩＥＤを書き込む。そして、記録セグメントとして、セグメント１７０２を設定する。
【００７０】
誤り検出符号化回路１００６、スクランブル回路１００５、誤り訂正符号化回路１００４は、記録セグメントであるセグメント１７０２に対し、セグメント１７０１のときと同様の処理を行う。ただし、スクランブル回路１００５は、シードを１６に設定してスクランブルを行う。
【００７１】
記録コントローラ１００７は、セグメント１７０２のデータ作成処理が終了すると、データ作成情報を取得し、セグメント１６０１のデータを繰り返し記録すると判定する。しかし、データ作成メモリ１０１０のセグメント１７０１と１７０２は、記録回路１００３による記録処理待ち状態であり、空き領域がないため、データ作成処理は行わず、セグメント１７０１のデータが記録回路１００３により情報記録媒体１００１へ記録され、空き領域になるまで待つ。セグメント１７０１のデータの記録が終了したら、記録コントローラ１００７は、セグメント１６０１のデータをセグメント１７０１にコピーし、ＩＤに３２から４７を書き込み、ＩＥＤを計算し書き込みを行う。
【００７２】
セグメント１７０１へのデータ作成処理が終了したら、記録コントローラ１００７は、データ作成情報を取得する。データ作成情報１８０１のブロック数分処理を行ったので、記録コントローラ１００７は、データ作成情報格納メモリ１００９から次のデータ作成情報であるデータ作成情報１８０２を読み出す。データ作成情報１８０２には、繰り返しフラグが設定されていないため、記録コントローラ１００７は、データ作成情報のセグメント番号に指定されているバッファメモリ１００８のセグメント１６０３を記録セグメントとして設定する。そして、データ作成情報のセグメント番号を、セグメント１６０３の次のセグメントであるセグメント１６０４に変更する。
【００７３】
誤り検出符号化回路１００６、スクランブル回路１００５、誤り訂正回路は、セグメント１６０３のデータに対し、各処理を行う。
【００７４】
記録コントローラ１００７は、データ作成情報を取得し、繰り返し記録は行わず、通常記録を行うと判定する。セグメント番号が変更されているため、記録セグメントとして、セグメント１６０４を設定する。
【００７５】
誤り検出符号化回路１００６、スクランブル回路１００５、誤り訂正回路は、セグメント１６０４のデータに対し、各処理を行う。
【００７６】
以上の処理により、情報記録媒体１００１の物理セクタ番号（ＰＳＮ）０から５ＥＣＣブロックには、図２０に示すように物理セクタ番号に対応したＩＤ、ＩＤＥ、スクランブルが行われたセグメント１６０１のデータが３回繰り返し記録された後、セグメント１６０３、１６０４のデータが連続して記録される。
【００７７】
以上説明したように、本発明の実施の形態１によれば、同じデータを規格に基づき、連続して繰り返し記録を行うことができ、情報再生装置で再生できるデータを記録することが可能となる。
【００７８】
また、同じデータを繰り返し記録する場合に、記録するデータはバッファメモリに１つだけ格納しておけばよく、バッファメモリを有効に利用することができる。
【００７９】
また、データ作成処理、誤り検出符号の付加、スクランブル、誤り訂正符号化処理を、情報記録媒体へ記録を行っている間に行うことにより、情報記録媒体へ連続して記録でき、同じデータをバッファメモリに展開する、または、同じセグメントを使用して記録を行うよりも高速に記録を行うことができる。
【００８０】
また、データ作成メモリは、バッファメモリと同様のセグメントで構成されているため、同じデータの繰り返し記録を行わない場合は、バッファメモリとして使用すれば、さらにキャッシュ効果が得られる。
【００８１】
また、繰り返し記録を行うデータをコピーして使用するため、バッファメモリ上の元データは変更されないため、記録管理情報など情報記録装置が記憶しておかなければならないデータを記録するときなどに有効である。
【００８２】
また、繰り返しフラグを設定しなければ、通常の記録動作を行うことも可能であるため、繰り返し記録と通常記録が混在している場合でも連続して記録を行うことができる。
【００８３】
また、データ作成情報には、記録に必要な情報のみを設定すればよく、各セグメントに対し繰り返し回数情報を設定するよりも、処理が簡単となる。
【００８４】
なお、本実施の形態では、データ作成メモリ１０１０のセグメントは２つで構成された場合について説明したが、データ作成メモリ１０１０のセグメントは、少なくとも１ＥＣＣブロック分のデータを記録回路が情報記録媒体に記録する間に、次に記録するＥＣＣブロックの誤り訂正符号化処理までが終了する分のセグメントで構成されていればよい。
【００８５】
なお、ＩＤとＩＥＤは、繰り返しフラグが設定されているときに記録する物理セクタ番号に対応した値に変更するとしたが、繰り返しフラグが設定されていないときにも行ってもよい。
【００８６】
（実施の形態２）
実施の形態２における情報記録装置の構成は、図１０、図１１、図１３と同一であるが、データ情報格納メモリには、図２１に示すようにゼロフラグとセグメント番号とブロック数で構成されるデータ作成情報が格納される。ゼロフラグは、図８のメインデータが全て０のデータを記録するかどうかを判定するためのフラグで、ゼロデータを記録するときに１に設定される。セグメント番号は、ゼロフラグが設定されている場合、無視される。ゼロフラグが設定されていない場合、記録するバッファメモリ１００８のセグメント番号が格納される。ブロック数には、処理を行うＥＣＣブロック数が格納される。
【００８７】
情報記録装置１０００が、データ作成情報にしたがってゼロデータを繰り返し記録する方法は、図１４のフローチャートと同一であるが、ステップＳ１４０１の詳細処理が異なる。
【００８８】
図２２に、ゼロデータを繰り返し記録する場合のステップＳ１４０１のデータ作成処理のフローチャートを示す。図１５のデータ作成処理と同じ処理には同一の番号を付し、説明は省略する。図２２のデータ作成処理について、図１０を参照しながら説明する。
【００８９】
ステップＳ２２０１で、記録コントローラ１００７は、データ作成情報のゼロフラグが設定されているか判定する。設定されていると判定した場合、ステップＳ２００２へ進む。設定されていないと判定した場合、ステップＳ１５０６へ進む。
【００９０】
ステップＳ２２０２で、記録コントローラ１００７は、データ作成メモリ１０１０にメインデータが０のデータを作成する。
【００９１】
ステップＳ２２０３で、ゼロデータを作成したデータ作成メモリ１０１０のセグメントを、記録セグメントに設定する。
【００９２】
本実施の形態の情報記録装置１０００が、情報記録媒体１００１へ記録を行うタイミングチャートは、図１９と同一であるため、説明は省略する。
【００９３】
以上説明したように、本発明の実施の形態２によれば、メインデータが全て０のデータであっても、規格に基づき、連続して繰り返し記録を行うことができ、情報再生装置で再生できるデータを記録することが可能となる。
【００９４】
また、本発明に係る情報記録装置によりゼロデータを作成するため、バッファメモリを使用せずに記録を行うことができ、バッファメモリを有効に利用することができる。
【００９５】
なお、本実施の形態では、データ作成情報にセグメント番号を設定するようにしているが、ゼロデータを連続して記録を行う場合には必要ないので、省略してもよい。しかし、ゼロフラグを設定せずにセグメント番号を指定することにより、ゼロデータの記録と通常記録が混在している場合でも連続して記録を行うことができる。
【００９６】
なお、本実施の形態では、ＤＶＤ−ＲＷを例に説明したが、ＢＤの場合、ゼロデータはユーザデータとしてだけではなく、パディングデータとして記録される場合がある。ユーザデータとして記録する場合、ＢＩＳのＡＵＮフラグのステータスビット２ビットを００ｂにし、パディングデータとして記録する場合、１１ｂにして記録を行わなくてはならない。そこで、データ作成情報にパディングフラグを追加し、パディングフラグが設定されている場合、ステータスビットを１１ｂにして記録を行い、設定されていない場合、ステータスビットを００ｂにして記録を行ってもよい。
【００９７】
（実施の形態３）
実施の形態３における情報記録装置の構成は、回路およびハードウェア構成上は図１０、図１１、図１３と同一であるが、データ情報格納メモリには、図２３に示すようにＲＢＧインクリメントフラグとセグメント番号とブロック数で構成されるデータ作成情報が格納される。図５で示したＲＭＤセットのＲＭＤブロックを記録する場合に、ＲＢＧインクリメントフラグが設定される。セグメント番号には、ＲＢＧインクリメントフラグが設定されている場合は、ＲＭＤブロックのデータが格納されているバッファメモリ１００８のセグメント番号が格納され、ＲＢＧインクリメントフラグが設定されていない場合は、記録するデータが格納されているバッファメモリ１００８のセグメント番号が格納される。ブロック数には、処理を行うＥＣＣブロック数が格納される。
【００９８】
情報記録装置１０００が、データ作成情報にしたがってＲＭＤセットを記録する方法は、図１４のフローチャートと同一であるが、ステップＳ１４０１の詳細処理が異なる。
【００９９】
図２４に、ＲＭＤセットを記録する場合のステップＳ１４０１のデータ作成処理のフローチャートを示す。図１５のデータ作成処理と同じ処理には同一の番号を付し、説明は省略する。
【０１００】
ステップＳ２４０１で、記録コントローラ１００７は、データ作成情報にＲＢＧインクリフラグが設定されているか判定する。設定されていると判定した場合、ステップＳ２４０２へ進む。設定されていないと判定した場合、ステップＳ１５０６へ進む。
【０１０１】
ステップＳ２４０２で、記録コントローラ１００７は、データ作成メモリ１０１０にコピーしたデータのＲＢＧレングスを変更する。ＲＢＧレングスは、初期値を１とし、１ずつインクリメントした値に変更する。
【０１０２】
本実施の形態の情報記録装置１０００が、情報記録媒体１００１へ記録を行うタイミングチャートは、図１９と同一であるため、説明は省略する。
【０１０３】
以上説明したように、本発明の実施の形態３によれば、ＲＭＤセットの５つのＲＭＤブロックを、バッファメモリには１つのＲＭＤブロックのデータを格納するだけで、連続して記録を行うことができる。
【０１０４】
また、元となるＲＭＤブロックのデータをコピーして使用するため、データが変更されず、記録管理情報を保持したまま、記録を行うことができる。
【０１０５】
なお、本実施の形態では、ＲＢＧレングスの初期値を１とするとしたが、バッファメモリに格納されているＲＭＤブロックのＲＢＧレングスの位置にあるデータを初期値としてもよい。また、データ作成情報に初期値が設定できる領域を追加し、その値を初期値としてもよい。
【０１０６】
また、本実施の形態では、ＲＢＧレングスをインクリメントした値に変更したが、記録媒体へ記録するデータであれば、どの領域のデータをインクリメントした値に変更してもよい。
【０１０７】
また、本実施の形態では、ＲＢＧレングスの位置にあるデータを変更したが、データ作成情報にインクリメントするデータの位置情報を追加し、位置情報で指定されたデータを変更してもよい。
【０１０８】
また、本実施の形態では、インクリメントした値に変更するとしたが、所定の計算方法により変更されれば、どのような値に変更されても構わない。
【０１０９】
例えば、デクリメントした値に変更してもよい。
【０１１０】
例えば、数式に従って計算された値に変更してもよい。
【０１１１】
なお、本発明の実施の形態は、一例であって、本発明の趣旨に一致する限り、どのようなデータ構造およびアルゴリズムであっても構わない。
【０１１２】
例えば、バッファメモリやデータ作成メモリは、セクタで構成されていてもよい。
【０１１３】
例えば、データ作成情報のセグメント番号は、データが格納されている位置が分かればよく、アドレスやセクタ番号であってもよい。
【０１１４】
例えば、データ作成情報のブロック数は、セクタ数であってもよい。
【０１１５】
例えば、上位装置から読み出すデータ作成情報の位置を取得し、その位置に格納されているデータ作成情報を読み出してもよい。
【０１１６】
例えば、データ作成情報にさらに次のデータ作成情報が格納されている位置の情報を格納し、それにしたがってデータ作成情報を読み出してもよい。
【０１１７】
例えば、ＩＤを変更するときに、ＢＤの場合はＢＩＳのＡＵＮを、ＣＤの場合はＭＳＦを変更してもよい。
【０１１８】
例えば、バッファメモリとデータ作成メモリとデータ作成情報格納メモリは、少なくとも２つは単一のメモリとして構成してもよい。
【０１１９】
例えば、誤り検出符号付加処理は、誤り訂正符号化回路により、誤り訂正符号化と同時に行われてもよい。
【０１２０】
例えば、誤り検出符号付加処理は、スクランブル回路により、スクランブルと同時に行われてもよい。
【０１２１】
例えば、スクランブルは、誤り訂正符号化回路により、誤り訂正符号化と同時におこなわれてもよい。
【０１２２】
例えば、スクランブルのシードは物理セクタ番号としたが、規格に基づいたスクランブルが行われればよく、バッファメモリに格納されているデータがスクランブルされたデータであった場合、スクランブルするときに使用したシードと、新たに記録するときに用いるシードの排他的論理和をシードとしてスクランブルしてもよい。
【０１２３】
そのような変更態様は、本発明の精神ならびに適用範囲から逸脱するものでなく、同業者にとって自明な変更態様は、本発明の請求の範囲に含まれるものとする。
【産業上の利用可能性】
【０１２４】
本発明にかかる記録方法および情報記録装置は、バッファメモリを有効に利用し、繰り返し記録を高速に行うことができ、例えば光ディスクドライブ装置等として有用である。
【図面の簡単な説明】
【０１２５】
【図１】ＤＶＤ−ＲＷのデータ構造を示す図
【図２】ＤＶＤ−ＲＷのリードイン領域のデータ構造を示す図
【図３】ＤＶＤ−ＲＷのＲＷ−物理フォーマット情報のデータ構造を示す図
【図４】ＤＶＤ−ＲＷのエクストラボーダー領域のデータ構造を示す図
【図５】ＤＶＤ−ＲＷのＲＭＡのデータ構造を示す図
【図６】ＤＶＤ−ＲＷのＲＭＤブロックのＲＢＧインフォメーションのデータ構造を示す図
【図７】従来の記録処理を示すフローチャート
【図８】ＤＶＤ−ＲＷのセクタ構造を示す図
【図９】従来の同じセグメントを用いて記録を行うときのタイミングチャート
【図１０】本発明の実施の形態１における情報記録装置の構造を示す図
【図１１】本発明の実施の形態１におけるバッファメモリの構造を示す図
【図１２】本発明の実施の形態１におけるデータ作成情報格納メモリの構造を示す図
【図１３】本発明の実施の形態１におけるデータ作成メモリの構造を示す図
【図１４】本発明の実施の形態１における記録処理を示すフローチャート
【図１５】本発明の実施の形態１におけるデータ作成処理を示すフローチャート
【図１６】本発明の実施の形態１におけるバッファメモリの具体例の図
【図１７】本発明の実施の形態１におけるデータ作成メモリの具体例の図
【図１８】本発明の実施の形態１におけるデータ作成情報格納メモリの具体例の図
【図１９】本発明の実施の形態１における記録処理のタイミングチャート
【図２０】本発明の実施の形態１における情報記録媒体への記録データの図
【図２１】本発明の実施の形態２におけるデータ作成情報格納メモリの構成を示す図
【図２２】本発明の実施の形態２におけるデータ作成処理を示すフローチャート
【図２３】本発明の実施の形態３におけるデータ作成情報格納メモリの構成を示す図
【図２４】本発明の実施の形態３におけるデータ作成処理を示すフローチャート
【符号の説明】
【０１２６】
１０１    Ｒ−インフォメーション領域
１０２    インフォメーション領域
１０３    ＰＣＡ
１０４    ＲＭＡ
１０５    リードイン領域
１０６    データ領域
１０７    リードアウト領域
２０１    イニシャル領域
２０２    バッファ０領域
２０３    ＲＷ−物理フォーマット情報領域
２０４    リファレンスコード領域
２０５    バッファ１領域
２０６    制御データ領域
２０７    エクストラボーダー領域
１０００    情報記録装置
１００１    情報記録媒体
１００２    光ピックアップ
１００３    記録回路
１００４    誤り訂正符号化回路
１００５    スクランブル回路
１００６    誤り検出符号化回路
１００７    記録コントローラ
１００８    バッファメモリ
１００９    データ作成情報格納メモリ
１０１０    データ作成メモリ
１０１１    内部バス
【図１】
2007220157.tif 000003
【図２】
2007220157.tif 000004
【図３】
2007220157.tif 000005
【図４】
2007220157.tif 000006
【図５】
2007220157.tif 000007
【図６】
2007220157.tif 000008
【図７】
2007220157.tif 000009
【図８】
2007220157.tif 000010
【図９】
2007220157.tif 000011
【図１０】
2007220157.tif 000012
【図１１】
2007220157.tif 000013
【図１２】
2007220157.tif 000014
【図１３】
2007220157.tif 000015
【図１４】
2007220157.tif 000016
【図１５】
2007220157.tif 000017
【図１６】
2007220157.tif 000018
【図１７】
2007220157.tif 000019
【図１８】
2007220157.tif 000020
【図１９】
2007220157.tif 000021
【図２０】
2007220157.tif 000022
【図２１】
2007220157.tif 000023
【図２２】
2007220157.tif 000024
【図２３】
2007220157.tif 000025
【図２４】
2007220157.tif 000026